【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
データ処理方法であり、
情報記録媒体に対する記録データの元データとしてのマスタデータを生成するマスタデータ生成ステップを有し、
前記マスタデータ生成ステップは、
前記マスタデータの一部領域に、暗号鍵ブロックを設定する領域として、該暗号鍵ブロックの記録に必要な領域よりも大きい領域に設定されたダミーデータ領域を含むマスタデータを生成することを特徴とするデータ処理方法。
【請求項２】
前記データ処理方法は、さらに、
前記暗号鍵ブロックが記録されるダミーデータ領域の位置情報を含む補助ファイルを生成するステップを有することを特徴とする請求項１に記載のデータ処理方法。
【請求項３】
前記補助ファイルは、さらに、
コンテンツ証明書が記録される位置情報が記録された補助ファイルであることを特徴とする請求項２に記載のデータ処理方法。
【請求項４】
前記マスタデータは平文のオーディオ及びビデオデータを含むことを特徴とする請求項１に記載のデータ処理方法。
【請求項５】
データ処理装置であり、
情報記録媒体に対する記録データの元データとしてのマスタデータを生成するデータ処理部を有し、
前記データ処理部は、
前記マスタデータの一部領域に暗号鍵ブロックを設定する領域として、該暗号鍵ブロックの記録に必要な領域よりも大きい領域に設定されたダミーデータ領域を含むマスタデータを生成する構成であることを特徴とするデータ処理装置。
【請求項６】
情報記録媒体製造管理システムであり、
コンテンツ利用管理のための管理情報の提供を行なう管理センタと、コンテンツ編集処理を行なうコンテンツ編集エンティテイと、前記コンテンツ編集エンティテイから、編集コンテンツを受領して情報記録媒体に対するコンテンツ記録を行なう情報記録媒体製造エンティテイを有し、
前記コンテンツ編集エンティテイは、
情報記録媒体に対する記録データの元データとしてのマスタデータを、一部領域に暗号鍵ブロックを設定する領域として、該暗号鍵ブロックの記録に必要な領域よりも大きい領域に設定されたダミーデータ領域を含むマスタデータとして生成して前記情報記録媒体製造エンティテイに提供する構成であり、
前記情報記録媒体製造エンティテイは、
前記ダミーデータ領域を含むマスタデータに基づいて、情報記録媒体に対する記録データを生成する構成であり、前記ダミーデータ領域に管理センタから取得した暗号鍵ブロックの設定処理を実行して記録データを生成する構成であることを特徴とする情報記録媒体製造管理システム。
【請求項７】
前記コンテンツ編集エンティテイは、
前記ダミーデータ領域の位置情報を含む補助ファイルを生成して前記情報記録媒体製造エンティテイに提供する構成であり、
前記情報記録媒体製造エンティテイは、
前記補助ファイルの位置情報に基づいて、ダミーデータ領域を識別し、識別領域に対して、管理センタからの受領情報または生成情報の設定処理を実行する構成であることを特徴とする請求項６に記載の情報記録媒体製造管理システム。
【請求項８】
前記情報記録媒体製造エンティテイは、
情報記録媒体に格納するコンテンツに基づくハッシュ値を格納したコンテンツハッシュテーブル（ＣＨＴ）、またはコンテンツの正当性を証明するコンテンツ証明書（Content_Cert）、またはコンテンツ暗号化に適用する鍵情報、または情報記録媒体製造エンティテイの公開鍵証明書（MF Key Certificate）の少なくともいずれかを前記ダミーデータ領域に対する設定情報とする処理を実行する構成であることを特徴とする請求項６または７いずれかに記載の情報記録媒体製造管理システム。
【請求項９】
情報記録媒体に対する記録データとしてのフォーマットデータを生成する記録データ生成装置であり、
情報記録媒体に対する記録データの元データとしてのマスタデータに対するデータ記録態様情報を含む補助ファイルを解析する解析部と、
前記解析部の解析情報に従って、暗号鍵ブロックの設定位置を決定するデータ位置設定部とを有し、
前記解析部は、前記補助ファイルに含まれる暗号鍵ブロックを設定する領域として、該暗号鍵ブロックの記録に必要な領域よりも大きい領域に設定されたダミーデータ領域の設定位置情報を取得し、前記データ位置設定部は、前記取得情報に基づいて暗号鍵ブロックの設定位置を決定する構成であることを特徴とする記録データ生成装置。
【請求項１０】
前記記録データ生成装置は、さらに、暗号化部を有し、
前記解析部は、
前記補助ファイルに基づいて、セクタ毎の暗号化の要否および暗号化態様を解析し、
前記暗号化部は、
該解析情報に従った暗号化処理を行い、セクタ単位の記録データを生成することを特徴とする請求項９に記載の記録データ生成装置。
【請求項１１】
情報記録媒体に対する記録データとしてのフォーマットデータを生成する記録データ生成方法であり、
情報記録媒体に対する記録データの元データとしてのマスタデータに対するデータ記録態様情報を含む補助ファイルを解析し、前記補助ファイルに含まれる特定情報の設定位置情報を取得する解析ステップと、
前記解析ステップにおいて取得された特定情報の設定位置情報に従って、記録データにおける特定情報位置を設定するデータ位置設定ステップと、
を有することを特徴とする記録データ生成方法。
【請求項１２】
前記記録データ生成方法は、さらに、暗号化ステップを有し、
前記解析ステップは、
前記補助ファイルに基づいて、セクタ毎の暗号化の要否および暗号化態様を解析し、
前記暗号化ステップは、
該解析情報に従った暗号化処理を行い、セクタ単位の記録データを生成することを特徴とする請求項１１に記載の記録データ生成方法。
【請求項１３】
情報記録媒体に対する記録データとしてのフォーマットデータの生成をコンピュータにおいて実行させるコンピュータ・プログラムであり、
情報記録媒体に対する記録データの元データとしてのマスタデータに対するデータ記録態様情報を含む補助ファイルを解析し、前記補助ファイルに含まれる特定情報の設定位置情報を取得する解析ステップと、
前記解析ステップにおいて取得された特定情報の設定位置情報に従って、記録データにおける特定情報位置を設定するデータ位置設定ステップと、
を有することを特徴とするコンピュータ・プログラム。
【請求項１４】
情報記録媒体に対する記録データとしてのフォーマットデータを生成する記録データ生成方法であり、
情報記録媒体に対する記録データの元データとしてのマスタデータに対するデータ記録態様情報を含む補助ファイルを解析する解析ステップと、
前記解析ステップにおいて取得された解析情報に従って、暗号鍵ブロックの設定位置を決定するデータ位置設定ステップとを有し、
前記解析ステップは、前記補助ファイルに含まれる暗号鍵ブロックを設定する領域として、該暗号鍵ブロックの記録に必要な領域よりも大きい領域に設定されたダミーデータ領域の設定位置情報を取得し、前記データ位置設定ステップは、取得情報に基づいて暗号鍵ブロックの設定位置を決定することを特徴とする記録データ生成方法。
【請求項１５】
光ディスクを生産する生産方法であり、
記録データ生成装置により生成された記録データに基づいて、マスタディスクを生産するステップと、
前記生産されたマスタディスクから光ディスクを生産するステップとを有し、
前記記録生成装置は、
情報記録媒体に対する記録データとしてのフォーマットデータを生成する記録データ生成装置であり、
情報記録媒体に対する記録データの元データとしてのマスタデータに対するデータ記録態様情報を含む補助ファイルを解析する解析部と、
前記解析部の解析情報に従って、暗号鍵ブロックの設定位置を決定するデータ位置設定部とを有し、
前記解析部は、前記補助ファイルに含まれる暗号鍵ブロックを設定する領域として、該暗号鍵ブロックの記録に必要な領域よりも大きい領域に設定されたダミーデータ領域の設定位置情報を取得し、前記データ位置設定部は、前記取得情報に基づいて暗号鍵ブロックの設定位置を決定する構成であることを特徴とする光ディスクの生産方法。
【手続補正２】
【補正対象書類名】明細書
【補正対象項目名】００１５
【補正方法】変更
【補正の内容】
【００１５】
本発明の第１の側面は、
データ処理方法であり、
情報記録媒体に対する記録データの元データとしてのマスタデータを生成するマスタデータ生成ステップを有し、
前記マスタデータ生成ステップは、
前記マスタデータの一部領域に、暗号鍵ブロックを設定する領域として、該暗号鍵ブロックの記録に必要な領域よりも大きい領域に設定されたダミーデータ領域を含むマスタデータを生成することを特徴とするデータ処理方法にある。
【手続補正３】
【補正対象書類名】明細書
【補正対象項目名】００１６
【補正方法】変更
【補正の内容】
【００１６】
さらに、本発明のデータ処理方法の一実施態様において、前記データ処理方法は、さらに、前記暗号鍵ブロックが記録されるダミーデータ領域の位置情報を含む補助ファイルを生成するステップを有することを特徴とする。
さらに、本発明のデータ処理方法の一実施態様において、前記補助ファイルは、さらに、コンテンツ証明書が記録される位置情報が記録された補助ファイルであることを特徴とする。
さらに、本発明のデータ処理方法の一実施態様において、前記マスタデータは平文のオーディオ及びビデオデータを含むことを特徴とする。
さらに、本発明の第２の側面は、
データ処理装置であり、
情報記録媒体に対する記録データの元データとしてのマスタデータを生成するデータ処理部を有し、
前記データ処理部は、
前記マスタデータの一部領域に暗号鍵ブロックを設定する領域として、該暗号鍵ブロックの記録に必要な領域よりも大きい領域に設定されたダミーデータ領域を含むマスタデータを生成する構成であることを特徴とするデータ処理装置にある。
【手続補正４】
【補正対象書類名】明細書
【補正対象項目名】００１７
【補正方法】変更
【補正の内容】
【００１７】
さらに、本発明の第３の側面は、
情報記録媒体製造管理システムであり、
コンテンツ利用管理のための管理情報の提供を行なう管理センタと、コンテンツ編集処理を行なうコンテンツ編集エンティテイと、前記コンテンツ編集エンティテイから、編集コンテンツを受領して情報記録媒体に対するコンテンツ記録を行なう情報記録媒体製造エンティテイを有し、
前記コンテンツ編集エンティテイは、
情報記録媒体に対する記録データの元データとしてのマスタデータを、一部領域に暗号鍵ブロックを設定する領域として、該暗号鍵ブロックの記録に必要な領域よりも大きい領域に設定されたダミーデータ領域を含むマスタデータとして生成して前記情報記録媒体製造エンティテイに提供する構成であり、
前記情報記録媒体製造エンティテイは、
前記ダミーデータ領域を含むマスタデータに基づいて、情報記録媒体に対する記録データを生成する構成であり、前記ダミーデータ領域に管理センタから取得した暗号鍵ブロックの設定処理を実行して記録データを生成する構成であることを特徴とする情報記録媒体製造管理システムにある。
【手続補正５】
【補正対象書類名】明細書
【補正対象項目名】００１９
【補正方法】削除
【補正の内容】
【手続補正６】
【補正対象書類名】明細書
【補正対象項目名】００２１
【補正方法】変更
【補正の内容】
【００２１】
さらに、本発明の第４の側面は、
情報記録媒体に対する記録データとしてのフォーマットデータを生成する記録データ生成装置であり、
情報記録媒体に対する記録データの元データとしてのマスタデータに対するデータ記録態様情報を含む補助ファイルを解析する解析部と、
前記解析部の解析情報に従って、暗号鍵ブロックの設定位置を決定するデータ位置設定部とを有し、
前記解析部は、前記補助ファイルに含まれる暗号鍵ブロックを設定する領域として、該暗号鍵ブロックの記録に必要な領域よりも大きい領域に設定されたダミーデータ領域の設定位置情報を取得し、前記データ位置設定部は、前記取得情報に基づいて暗号鍵ブロックの設定位置を決定する構成であることを特徴とする記録データ生成装置にある。
【手続補正７】
【補正対象書類名】明細書
【補正対象項目名】００２３
【補正方法】変更
【補正の内容】
【００２３】
さらに、本発明の第５の側面は、
情報記録媒体に対する記録データとしてのフォーマットデータを生成する記録データ生成方法であり、
情報記録媒体に対する記録データの元データとしてのマスタデータに対するデータ記録態様情報を含む補助ファイルを解析し、前記補助ファイルに含まれる特定情報の設定位置情報を取得する解析ステップと、
前記解析ステップにおいて取得された特定情報の設定位置情報に従って、記録データにおける特定情報位置を設定するデータ位置設定ステップと、
を有することを特徴とする記録データ生成方法にある。
【手続補正８】
【補正対象書類名】明細書
【補正対象項目名】００２５
【補正方法】変更
【補正の内容】
【００２５】
さらに、本発明の第６の側面は、
情報記録媒体に対する記録データとしてのフォーマットデータの生成をコンピュータにおいて実行させるコンピュータ・プログラムであり、
情報記録媒体に対する記録データの元データとしてのマスタデータに対するデータ記録態様情報を含む補助ファイルを解析し、前記補助ファイルに含まれる特定情報の設定位置情報を取得する解析ステップと、
前記解析ステップにおいて取得された特定情報の設定位置情報に従って、記録データにおける特定情報位置を設定するデータ位置設定ステップと、
を有することを特徴とするコンピュータ・プログラムにある。
さらに、本発明の第７の側面は、
情報記録媒体に対する記録データとしてのフォーマットデータを生成する記録データ生成方法であり、
情報記録媒体に対する記録データの元データとしてのマスタデータに対するデータ記録態様情報を含む補助ファイルを解析する解析ステップと、
前記解析ステップにおいて取得された解析情報に従って、暗号鍵ブロックの設定位置を決定するデータ位置設定ステップとを有し、
前記解析ステップは、前記補助ファイルに含まれる暗号鍵ブロックを設定する領域として、該暗号鍵ブロックの記録に必要な領域よりも大きい領域に設定されたダミーデータ領域の設定位置情報を取得し、前記データ位置設定ステップは、取得情報に基づいて暗号鍵ブロックの設定位置を決定することを特徴とする記録データ生成方法にある。
さらに、本発明の第８の側面は、
光ディスクを生産する生産方法であり、
記録データ生成装置により生成された記録データに基づいて、マスタディスクを生産するステップと、
前記生産されたマスタディスクから光ディスクを生産するステップとを有し、
前記記録生成装置は、
情報記録媒体に対する記録データとしてのフォーマットデータを生成する記録データ生成装置であり、
情報記録媒体に対する記録データの元データとしてのマスタデータに対するデータ記録態様情報を含む補助ファイルを解析する解析部と、
前記解析部の解析情報に従って、暗号鍵ブロックの設定位置を決定するデータ位置設定部とを有し、
前記解析部は、前記補助ファイルに含まれる暗号鍵ブロックを設定する領域として、該暗号鍵ブロックの記録に必要な領域よりも大きい領域に設定されたダミーデータ領域の設定位置情報を取得し、前記データ位置設定部は、前記取得情報に基づいて暗号鍵ブロックの設定位置を決定する構成であることを特徴とする光ディスクの生産方法にある。